(57)【要約】【課題】センサシート含有電子機器用筐体について、センサシートを筐体に精度よく簡単に取付けることができ、また、センサシートと筐体とを簡単に分離させることができる技術を提供する。【解決手段】外装部材１２と、センサ電極１３ａを有し外装部材１２の裏面１２ｅ側に設けられるセンサシート１３と、センサシート１３を外装部材１２に密着させて保持する取付板１４と、を備えるセンサシート含有外装品１１について、取付板１４は、外装部材１２の裏面形状に概略対応する表面形状を有し外装部材と係合するものであり、取付板１４とセンサシート１３の間に取付板１４の表面形状に沿ってセンサシート１３を取付板１４に固定するセンサシート固定手段１６を有することとした。【選択図】図１
2019091466.tif 000002
【特許請求の範囲】
【請求項１】
電子機器の筐体と、
センサ電極を有するセンサシートと、
前記センサシートを前記筐体の裏面に保持した状態で、前記センサシートを前記筐体の裏面に沿わせて保持する取付板と、
前記センサシートを前記取付板に固定するセンサシート固定手段とを備えるセンサシート含有電子機器用筐体。
【請求項２】
前記取付板は、前記センサシートを前記裏面に向けて圧接可能な状態で前記裏面に対して取付けられる
請求項１記載のセンサシート含有電子機器用筐体。
【請求項３】
前記筐体は、操作面を有し、ドーム状に湾曲した前面板を有する
請求項１又は請求項２記載のセンサシート含有電子機器用筐体。
【請求項４】
センサシートを外装部材の裏面に保持するセンサシート用の取付板であって、
前記裏面に取付けた状態で、前記センサシートを前記裏面に沿わせて保持するセンサシート用の取付板。
【請求項５】
前記センサシートを前記裏面に向けて圧接可能な状態で前記裏面に対して取付けられる
請求項４記載のセンサシート用の取付板。
【請求項６】
前記裏面に対して着脱可能な着脱手段を有する
請求項４又は請求項５記載のセンサシート用の取付板。
【請求項７】
外装部材の裏面形状に対応する表面形状を有する
請求項４〜請求項６何れか１項記載のセンサシート用の取付板。
【発明の詳細な説明】
【技術分野】
【０００１】
本発明は、各種電子機器に用いられるセンサシートを備え外装部材と一体となったセンサシート含有外装品、センサシート含有電子機器用筐体、センサシート用の取付板および外装部材にセンサシートを取付けるためのセンサシートユニット、そしてセンサシート含有外装品の製造方法に関する。
【背景技術】
【０００２】
センサシートと外装部材が一体になったセンサシート含有外装品としては、国際公開ＷＯ２０１１／１４２３３２号公報（特許文献１）に記載されているように、外装部材であるパネルの裏面側に粘着層や両面テープを用いてセンサシートを固着した構成が一般的である。
【先行技術文献】
【特許文献】
【０００３】
【特許文献１】国際公開ＷＯ２０１１／１４２３３２号公報
【発明の概要】
【発明が解決しようとする課題】
【０００４】
ところが、外装部材の裏面側にはパネルの強度を高めるためのリブや、基板、種々の部材を固定するためのボス等が多数設けられている。こうした凹凸の多い外装部材の裏面側にセンサシートを貼り付けようとすると、センサシートが撓み易いという不都合がある。そのため、国際公開ＷＯ２０１１／１４２３３２号公報（特許文献１）に記載の技術のように、センサシートを外装部材に両面テープ等で貼り付ける場合には、これらの凹凸を避けながら貼り付ける必要があり、作業性が悪いという課題があった。
【０００５】
また、こうした外装部材と一体となったセンサシートは、外装部材からセンサシートを剥がすことが困難であるため、外装部材またはセンサシートの何れかに不具合が見つかった場合でもこれら全体を交換する必要があった。
【０００６】
本発明は、こうした課題を解決するためになされたものである。すなわち、センサシートを外装部材に精度よく簡単に取付けることができる技術を提供することを目的とする。また、センサシートと外装部材とを分離させ易い技術を提供することを目的とする。
【課題を解決するための手段】
【０００７】
上記目的を達成する本発明は、以下のように構成される。
【０００８】
即ち、外装部材と、センサ電極を有し外装部材の裏面側に設けられるセンサシートと、センサシートを外装部材に密着させて保持する取付板と、を備えるセンサシート含有外装品であって、取付板は、外装部材の裏面形状に対応する表面形状を有し外装部材と係合するものであり、取付板とセンサシートの間に取付板の表面形状に沿ってセンサシートを取付板に固定するセンサシート固定手段を有するセンサシート含有外装品（以下、単に「外装品」ともいう）を提供する。
【０００９】
また、センサ電極を有し外装部材の裏面側に設けられるセンサシートと、センサシートを外装部材に密着させて保持する取付板とからなり、外装部材に取付けて利用するセンサシートユニットであって、取付板は、外装部材の裏面形状に対応する表面形状を有し外装部材と係合するものであり、取付板とセンサシートの間に取付板の表面形状に沿ってセンサシートを取付板に固定するセンサシート固定手段を有するセンサシートユニットを提供する。
【００１０】
本発明によれば、家電やオーディオ機器、自動車搭載機器等の種々の電子機器に用いられるセンサシートを備えるため、センサ電極を間接的に触れることで静電容量変化を検知するタッチセンサとして利用することができる。また、そのセンサシートの表面側に外装部材を備えるため、この外装部品をセンサシートを保護する筐体として機能させ、また種々のデザインを外装部品に付与することができる。
【００１１】
取付板とセンサシートの間に取付板の表面形状に沿ってセンサシートを取付板に固定するセンサシート固定手段を設けたため、薄いシート状のセンサシートであっても取付板の表面形状に沿った形状でセンサシートを取付板に固定することができる。そして、取付板は、外装部材の裏面形状に対応する表面形状を有するため、外装部材と取付板とを貼り合わせれば外装部材と取付板とが係合し、その間にあるセンサシートを外装部材と取付板に密着させることができる。また、取付板を外装部材に取り付けることがそのままセンサシートを外装部材に取り付けることになり、センサシートの取付け作業が容易である。
【００１２】
ここで“外装部材の裏面形状に対応する表面形状”とは、取付板の表面形状が外装部材の裏面形状と面どうしが重なり合う形状であることを意味するが、面どうしが完全に一致する形状であることまでは要求されず、それらの何れか又は双方にわずかな段差や隙間があっても良い。要するに取付板がその面形状によってセンサシートを外装部材の裏面に沿わせて保持することができれば良い。また、“表面”とは外装品の操作面側の面であり、 “裏面”とは外装品の操作面とは反対面側の面である。
【００１３】
取付板には外装部材に対して着脱可能な着脱手段を設けることができる。取付板に外装部材に対して着脱可能な着脱手段を設けたため、外装部材と取付板とを分離することができる。そのため、外装部材やセンサシートに不具合が生じた場合でも外装品の全体を取り替えずに不具合が生じた外装部材やセンサシートを部分的に修理することができる。そして、センサシートと取付板とを一体としたセンサシートユニットを形成したため、外装部材へのセンサシートの取付けを簡単で正確に行うことができる。
【００１４】
外装部材とセンサシートの間に第１弾性部材を備えることができる。取付板の表面が外装部材の裏面形状に対応する形状であっても、外装部材の裏面に加飾層を設けることで加飾層の境界に段差が生じたり、成形型のパーティングに起因する段差が生じたりすることがある。しかしながら、第１弾性部材を備えることで、僅かな段差であっても第１弾性部材が柔軟に変形してその段差に追従することができるため、外装部材とセンサシートとを密着させることができる。即ち、第１弾性部材を備えないと、空気層を完全に排除することが困難な場合があり、空気層の影響で感度が低下し得るが、第１弾性部材を備えることでセンサシートを外装部材に密着させることができ空気層を排除することができる。したがって、センサ感度への悪影響を防止することができる。
【００１５】
第１弾性部材の厚みが５０μｍ以上７００μｍ以下であるものとすることができる。第１弾性部材の厚みが５０μｍ以上であれば、圧縮変形のための十分な厚みを確保できるため、取付時には設計公差を確実に吸収することができる。そして、厚みが７００μｍ以下であれば弾性部材による厚み増加に起因する感度の低下も少ないため、接触検知に不具合が生じるおそれがほとんどない。また、その厚みは２５０μｍ以下とすることがより好ましい。第１弾性部材を備えると、外装部材の表面からセンサシートまでの距離が離れるが、第１弾性部材の厚みが２５０μｍ以下であれば、その距離の増加による感度低下よりも、第１弾性部材が存在しないことによる空気層の悪影響を排除する効果を高めることができ、第１弾性部材を備えない場合よりも感度を高めることができるからである。
【００１６】
センサシートと取付板の間に第２弾性部材を備えるセンサシート含有外装品とすることができる。第２弾性部材を有すると、第２弾性部材が圧縮変形しながらセンサシートを外装部材に対して圧接することができるため、その圧縮変形の範囲において、寸法誤差を吸収することができる。
【００１７】
さらに、外装部材と、センサ電極を有し外装部材の裏面に設けられるセンサシートと、センサシートを外装部材に密着させて保持する取付板と、を備えるセンサシート含有外装品の製造方法であって、外装部材の裏面形状に対応する表面形状を有する取付板に対し、取付板の表面形状に沿ってセンサシートを固定するセンサシート固定手段を通じてセンサシートを固定し、次に、センサシートを固定した取付板の表面を外装部材の裏面に係合させるセンサシート含有外装品の製造方法を提供する。
【００１８】
外装部材の裏面形状に対応する表面形状を有する取付板に対し、取付板の表面形状に沿ってセンサシートを固定するセンサシート固定手段を通じてセンサシートを固定したため、平板状のセンサシートであっても取付板の表面形状に沿った形状でセンサシートを取付板に固定することができる。そして、取付板は、外装部材の裏面形状に対応する表面形状を有するため、次に、センサシートを固定した取付板の表面を外装部材の裏面に係合させれば、その間にあるセンサシートを外装部材と取付板に密着させることができる。また、取付板を外装部材に取り付けることがそのままセンサシートを外装部材に取り付けることになり、センサシートの取付け作業が容易である。
【００１９】
さらに本発明は、電子機器の筐体と、センサ電極を有するセンサシートと、前記センサシートを前記筐体の裏面に保持した状態で、前記センサシートを前記筐体の裏面に沿わせて保持する取付板と、前記センサシートを前記取付板に固定するセンサシート固定手段とを備えるセンサシート含有電子機器用筐体を提供する。
【００２０】
前記取付板は、前記センサシートを前記裏面に向けて圧接可能な状態で前記裏面に対して取付けられるように構成できる。
【００２１】
前記筐体は、操作面を有し、ドーム状に湾曲した前面板を有するように構成できる。
【００２２】
さらにまた、本発明は、センサシートを外装部材の裏面に保持するセンサシート用の取付板であって、前記裏面に取付けた状態で、前記センサシートを前記裏面に沿わせて保持するセンサシート用の取付板を提供する。
【００２３】
前記取付板は、前記センサシートを前記裏面に向けて圧接可能な状態で前記裏面に対して取付けられるように構成できる。
【００２４】
前記取付板は、前記裏面に対して着脱可能な着脱手段を有するように構成できる。
【００２５】
前記取付板は、外装部材の裏面形状に対応する表面形状を有するように構成できる。
【発明の効果】
【００２６】
本発明のセンサシート含有外装品、センサシート含有電子機器用筐体、センサシート用の取付板およびセンサシートユニットによれば、簡単に製造できるため単価を安くすることができる。また、外装部材とセンサシートとを簡単に分離することができ、部分的な修理が容易である。
【００２７】
本発明のセンサシート含有外装品の製造方法によれば、センサシートを外装部材に精度よく簡単に取付けることができる。そのため、歩留まりが良く、安価にセンサシート含有外装品を製造することができる。
【図面の簡単な説明】
【００２８】
【図１】本発明の第１実施形態による外装品の分解斜視図である。
【図２】図１の外装品を組立てたときのＳＡ−ＳＡ線に沿う模式断面図である。
【図３】図２の外装品の分解模式断面図である。
【図４】図２の外装品の取付板にセンサシートを取り付けた状態の分解模式断面図である。
【図５】第２実施形態による第１弾性部材を備える外装品の図４相当の分解模式断面図である。
【図６】第３実施形態による第２弾性部材を備える外装品の図４相当の分解模式断面図である。
【図７】第３実施形態の変形例による第２弾性部材を備える外装品の図４相当の分解模式断面図である。
【発明を実施するための形態】
【００２９】
本発明について以下に示す実施形態に基づきさらに詳細に説明する。なお、各実施形態で共通する部材については、同一の符号を付して重複説明を省略する。また、共通する材質、作用、効果等についても重複説明を省略する。
【００３０】
第１実施形態〔図１〜図４〕
【００３１】
本実施形態は、電子機器の前面に配置されるパネルとしての外装品１１を例示する。外装品１１は、図１で示すように、「筐体」としての外装部材１２と、外装部材１２の裏面側に位置するセンサシート１３と、センサシート１３の裏面側に位置する取付板１４とを備えている。即ち、センサシート１３は、取付板１４を外装部材１２の裏面に取付けた状態で、センサシート１３を外装部材１２の裏面に沿わせて保持されている。
【００３２】
外装部材１２は、透明性のある硬質樹脂または不透明な硬質樹脂で形成され、ここでは、操作面となる前面板１２ｄがドーム状に湾曲した外形を有し、１つの表示部１２ａと１１個のセンサ領域１２ｂを備えている。外装部材１２の裏面１２ｅには、図２で示すように、前面板１２ｄの表面１２ｆに沿った形状に凹んだ裏面１２ｅを有し、センサ領域１２ｂと重ならない部分に取付板１４との着脱を行う嵌合凸部１２ｃが形成されている。
【００３３】
表面１２ｆの表示部１２ａは、各種表示を行う部位であり照光機能を備えるような場合には外装部材１２を透明性のある樹脂で形成することが好ましい。表面１２ｆの複数のセンサ領域１２ｂは、前面板１２ｄの操作面となるセンシング領域であり、センサシート１３のセンサ電極１３ａに対応する部位である。各センサ領域１２ｂは、センサ領域１２ｂ全体の感度を均一にするため均一の厚みとすることが好ましい。また、センサ感度を良くするため、センサ領域１２ｂの厚みは、外装部材１２が筐体として機能する場合の強度に不都合が生じない範囲で薄い方が好ましい。センサ領域１２ｂとその周囲の縁の部分で厚みが異なっていても、外装部材１２の裏面１２ｅは段差が無く平坦な面としていることが好ましい。センサシート１３が貼り合わされた際に無用な空隙が形成され感度に悪影響を及ぼすことを避けるためである。
【００３４】
センサ領域１２ｂの厚みは、より具体的には１ｍｍ〜３ｍｍとすることが好ましい。厚みが１ｍｍ未満では、筐体としての強度が不十分となるおそれがあり、厚みが３ｍｍを超えるとセンサ感度が悪くなるおそれがあるためである。センサ領域１２ｂの周囲の縁の部分の厚みは、センサ感度とは関係なく、外装品１１のデザインに応じて適当な厚みとすることができる。
【００３５】
嵌合凸部１２ｃは、取付板１４に設けた嵌合受け部１４ａと嵌合する着脱自在な固定構造である。嵌合凸部１２ｃと嵌合受け部１４ａとの具体的な組合せには、スナップフィットやボスとネジ、凹部とその凹部に圧入する突起、ひと組の磁石などの組合せを挙げることができる。嵌合凸部１２ｃが取付板１４の嵌合受け部１４ａと嵌合することで、外装部材１２と取付板１４とが係合状態で安定し、外装部材１２に取付板１４とセンサシート１３が固定される。
【００３６】
センサシート１３は、全体的には図３で示すように薄いシート状をなし、平面で見ると図１で示すように外装部材１２のセンサ領域１２ｂと対応する箇所にセンサ電極１３ａを有している。各センサ電極１３ａは、そこから配線１３ｂが延び、配線１３ｂの他端は端子部１３ｃに通じている。配線１３ｂから端子部１３ｃにかけて取付板１４よりも外側にはみ出る突出部分が存在するが、基板等に接続させるために予め折り曲げておくこととしてもよい。
【００３７】
センサシート１３を断面で見ると、フィルム基材をベースとし、その表面側にセンサ電極１３ａ、レジスト層（図示せず）が積層している。また、センサシート１３の裏面にはその全面にセンサシート固定手段としての粘着層１６を設けることができる。
【００３８】
レジスト層は、薄膜で構成することが好ましい。薄い方が外装部材１２とセンサ電極１３ａとの距離を短くできセンサ感度を高く保持することができるからである。また、ここではセンサシート１３の裏面側全体に粘着層１６を備えたため、取付板１４の表面との間に多少の段差があってもその影響が少なく、気泡の混入を防止して取付板１４にセンサシート１３を密着させ易い。なお、粘着層１６に変えて、ホットメルト接着剤を含む種々の接着剤層や、熱溶着を可能とする熱溶着層等とすることができる。また、粘着層１６等の配置は、センサシート１３の裏面全面である場合の他、外周縁に設けるなど部分的に設けることもできるが、取付板１４との間で段差が生じる部位には粘着層１６等を設けることが好ましい。
【００３９】
取付板１４は、図３で示すように、外装部材１２の裏面形状に対応する表面形状を有し外装部材１２と係合することでセンサシート１３を外装部材１２に密着させて保持する機能を奏する部材である。
【００４０】
取付板１４には、外装部材１２の嵌合凸部１２ｃと着脱自在に嵌合する嵌合受け部１４ａが設けられている。この嵌合受け部１４ａは、外装部材１２に対して着脱可能な着脱手段である。この嵌合受け部１４ａが嵌合凸部１２ｃと嵌合することにより、取付板１４の表面に固着されたセンサシート１３が外装部材１２の裏面１２ｅに圧接された状態で外装部材１２に密着固定される。
【００４１】
取付板１４は、硬質樹脂で形成する。外装部材１２と同じ硬質樹脂にしても良く、また比較的硬質のゴムやエラストマーを用いることができる。より具体的にはＪＩＳ  Ｋ６２５３規定のＤ硬度で、Ｄ６０以上の硬さであることが好ましい。Ｄ６０未満では取付板１４が容易に変形し、取付位置などの精度が不十分となるおそれがあるためである。なお、ゴム材料やエラストマーを用いる場合には、所定の撓み代を設けて、外装部材１２へ圧接する構成とすることが好ましい。
【００４２】
外装品１１を組み立てるには、図４で示すように、まず取付板１４の表面にセンサシート１３の裏面を粘着層１６を通じて固定し、センサシート１３と取付板１４とが一体となったセンサシートユニット１５を形成する。センサシート１３の取付板１４への取付けは、ドーム状に隆起した取付板１４の表面へ取り付けるので、操作が容易である。これは、凹形状となっている外装部材１２の内側へセンサシート１３を固定するよりも操作が容易である。センサシート１３は、取付板１４に取り付ける際にその表面に沿って曲げられることができるが、取り付ける前に取付板１４の表面や外装部材１２の裏面１２ｅに沿う形状に予め変形させておいてもよい。
【００４３】
次に、センサシートユニット１５を外装部材１２に取り付ける。この取付けは、センサシートユニット１５に設けた嵌合受け部１４ａを外装部材１２の嵌合凸部１２ｃに差し込むだけでよい。この場合、すでにセンサシート１３は取付板１４に固定されているため、取付板１４の取付け工程でセンサシート１３が傾いたり、ずれたりすることがない。また、外装部材１２の裏面形状と取付板１４の表面形状が対応するため、外装部材１２と取付板１４との間に挟まれたセンサシート１３はその両者の間に密着されて固定される。
【００４４】
また、外装部材１２への取付板１４の固定は、着脱自在の嵌合凸部１２ｃと嵌合受け部１４ａとの嵌合によってなされるため、外装部材１２と取付板１４との分離が容易である。そのため、外装部材１２やセンサシート１３に不具合が見つかったときは、それらを分離して一方のみを交換することができる。
【００４５】
第２実施形態〔図５〕
【００４６】
本実施形態の外装品２１は、センサシート１３の表面側に第１弾性部材２７を備えている点で、前記実施形態で示した外装品１１と異なる。第１弾性部材２７は、センサシート１３と外装部材１２との間での密着性をより高めるための部材である。
【００４７】
第１弾性部材２７は、センサシート１３の表面側に設けられており、好ましくは、平面視でセンサ領域１２ｂやセンサ電極１３ａよりも大きな外形をしている。センサ領域１２ｂの裏面全体とセンサシート１３のセンサ領域１３ａの表面全体とを密着させることが好ましいからである。第１弾性部材２７はセンサシート１３の表面全面に設けてもよいが、センサ領域１２ｂに対応した箇所に個別に設ける方が好ましい。その理由は、個別に設けた方が第１弾性部材２７が圧縮変形し易く、圧縮荷重を小さくできるからである。
【００４８】
第１弾性部材２７の厚みは、５０μｍ〜７００μｍとすることが好ましい。５０μｍ未満であると、取付けの設計公差を吸収することができないおそれがある。一方、７００μｍを超えると感度が悪くなり、接触検知に不具合が生じるおそれがある。また厚みは２５０μｍ以下であることがより好ましい。２５０μｍ以下であれば、第１弾性部材２７を用いない場合よりも感度を高めやすいからである。
【００４９】
第１弾性部材２７は、柔軟なゴムまたはエラストマー、スポンジ等の発泡体で形成することができる。特に外装部材１２の裏面１２ｅに凹凸があっても、その凹凸に追従して密着できるようにするためである。また、繰り返し使用しても破損し難い材質が好ましい。
【００５０】
このような機能を有する材質としては、天然ゴム、アクリルゴム、ブタジエンゴム、イソプレンゴム、スチレン−ブタジエン共重合ゴム、ニトリルゴム、水添ニトリルゴム、クロロプレンゴム、エチレン−プロピレン共重合ゴム、塩素化ポリエチレンゴム、クロロスルホン化ポリエチレンゴム、ブチルゴム、ハロゲン化ブチルゴム、フッ素ゴム、ウレタンゴム、及びシリコーンゴム等の架橋ゴムや、スチレン−ブタジエンブロック共重合体及びその水添ポリマー、スチレン−イソプレンブロック共重合体及びその水添ポリマー、スチレン系熱可塑性エラストマー、オレフィン系熱可塑性エラストマー、塩化ビニル系熱可塑性エラストマー、ポリエステル系熱可塑性エラストマー、ポリウレタン系熱可塑性エラストマー、及びポリアミド系熱可塑性エラストマー等の熱可塑性エラストマーが挙げられる。これらの中でも、発泡体の誘電率は低いため、ゴムまたはエラストマー材料を用いることが好ましい。また、耐熱性、耐候性、柔軟性の観点からシリコーンゴムが好適である。また、耐久性と密着性の観点からはポリウレタン系熱可塑性エラストマーや樹脂やウレタンゴムも好適である。
【００５１】
第１弾性部材２７の硬さは、ＪＩＳ  Ｋ６２５３で規定されるＡ硬度でＡ６０以下であることが好ましい。硬さがＡ６０を超えると圧縮荷重が大きくなり、外装部材１２に歪みが発生するおそれがあることや、被着面に凹凸があったときに凹凸への追従性が不十分となるおそれがあるためである。
【００５２】
センサ領域１２ｂに透明性が要求されない場合には、第１弾性部材２７には、例えばチタン酸バリウムの微粉末などの誘電率を高める充填材（誘電体フィラー）を添加することができる。そうすることで、センサの感度を高めることができる。また、第１弾性部材２７の厚みが厚い場合であっても、センサの感度が低下し難い外装品２１とすることができる。
【００５３】
外装品２１では、外装部材１２とセンサシート１３の間に第１弾性部材２７を備えるため、外装部材１２の裏面１２ｅに段差があっても、第１弾性部材２７が柔軟に変形してその段差に追従することができ、空気層の発生を抑えることができる。したがって、外装部材１２の裏面１２ｅに段差があっても、空気層に起因するセンサの感度のばらつき等の影響を抑止することができる。
【００５４】
第３実施形態〔図６〕
【００５５】
本実施形態の外装品３１は、センサシート１３の裏面側に弾性材料でなる第２弾性部材３８を備えている点で先の実施形態で示した外装品１１と異なる。第２弾性部材３８もまた、センサシート１３と外装部材１２との間での密着性をより高めるための部材である。
【００５６】
第２弾性部材３８は、センサシート１３の裏面または取付板１４の表面に固着して設けることができる。好ましくは、平面視でセンサ領域１２ｂやセンサ電極１３ａよりも大きな外形としている。センサ領域１２ｂの裏面全体とセンサシート１３のセンサ領域１３ａの表面全体とを密着させることが好ましいからである。また、第２弾性部材３８はセンサシート１３の裏面全面に設けてもよいが、センサ領域１２ｂに対応した箇所に個別に設ける方が好ましい。その理由は、センサ領域１２ｂのみに荷重を集中させることができ、センサ領域１２ｂの裏面に確実にセンサ電極１３ａを圧接することができるためである。
【００５７】
第２弾性部材３８としては、高分子弾性材で形成することができ、第２実施形態の第１弾性部材２７と同じ材質とすることができる。第２弾性部材３８の厚みは０．２ｍｍ〜２ｍｍとすることが好ましい。０．２ｍｍ未満であると、取付の設計公差を吸収することができないおそれがある。一方、２ｍｍを超えても設計公差の吸収や取付作業性は変わらないため、無駄に厚くなるからである。
【００５８】
外装品３１は、取付板１４とセンサシート１３の間に第２弾性部材３８を備えることとしたため、第２弾性部材３８が圧縮変形しながらセンサシート１３を圧接することができ、その圧縮変形の範囲において、外装部材１２や取付板１４の寸法精度の誤差を吸収することができる。
【００５９】
第３実施形態の変形例〔図７〕
【００６０】
第２弾性部材３８の変形例として、弾性材料に変えて板バネ３８ｂを用いることができる。この板バネ３８ｂは取付板１４から連続しており、平面視ではコ字状のスリットにより形成されている。板バネ３８ｂを有する外装品３１ａを図７に示す。
【００６１】
第２弾性部材３８を板バネ３８ｂで構成しても、第２弾性部材３８が圧縮変形しながらセンサシート１３を圧接することができる。そのため、その圧縮変形の範囲において、外装部材１２や取付板１４の寸法精度の誤差を吸収することができる。
【００６２】
板バネ３８ｂを設けるときは、取付板１４としてバネ弾性のある樹脂を用いることが好ましい。より具体的には、ポリカーボネート樹脂やポリアセタール樹脂、ポリエーテルエーテルケトン、ＪＩＳ  Ｋ６２５３で規定されるＡ硬度でＡ６０を超える比較的の硬質のゴムまたはエラストマーが挙げられる。
【００６３】
各実施形態の組合せ
【００６４】
前記各実施形態の特徴的な構成は、不具合のない範囲で変更し他の実施形態で示した構成等と組合せることができる。例えば、第１弾性部材と第２弾性部材の両方を備える外装品としてもよい。
【００６５】
第１弾性部材と第２弾性部材を備える外装品については、それぞれ第２実施形態における第１弾性部材２７および第３実施形態における第２弾性部材３８と同じとすることもできるが、第１弾性部材２７の厚みは、第２弾性部材３８の厚みよりも薄くすることが好ましい。第１弾性部材２７の厚みを薄くすることで、外装部材１２の表面１２ｆからセンサ電極１３ａまでの距離を短くしてセンサ感度を高めるとともに、第２弾性部材３８の厚みに余裕を持たせて、その圧縮変形の範囲において、寸法精度の誤差を吸収することができるからである。
【００６６】
第１弾性部材２７と第２弾性部材３８とを設ける場合には、第１弾性部材２７の硬さは、第２弾性部材３８の硬さよりも柔らかいことが好ましい。こうした構成とすれば、第１弾性部材２７は第２弾性部材３８よりも圧縮されて、外装部材１２の裏面形状への追従性を高めることができる。そして、外装部材１２からセンサ電極１３ａまでの距離を短くしてセンサ感度を高めることができる。
【００６７】
また、第２弾性部材３８の外形は第１弾性部材２７の外形よりも大きくすることが好ましい。第２弾性部材３８が第１弾性部材２７よりも小さいと、第１弾性部材２７の圧接が不均一となり、センサ感度がばらつくおそれがあるためである。
【００６８】
センサシート１３と取付板１４とを固着する粘着層は、センサシート１３に設ける例を説明したが、そうした例に変えて、取付板１４の表面に設けることができる。取付板１４の表面に設けても、その表面形状に沿ってセンサシート１３を固着することができ、ひいてはセンサシート１３と外装部材１２の密着をさせることができるからである。
【実施例】
【００６９】
外装部材として、厚み２ｍｍのポリカーボネート樹脂製で一方端が開放された箱状の部材を準備した。この外装部材の他方端は表面、裏面ともに平坦に形成されている。また、取付板として、厚み２ｍｍの平坦なポリカーボネート樹脂板を準備した。この取付板は、外装部材の裏面形状に対応する表面形状を有し、外装部材の他方端側（裏面側）から係合させることができる。さらに、厚み１００μｍの透明なＰＥＴフィルムに、透明導電性インキでセンサ電極を形成し、さらに銀インキを用いて配線を形成し、ポリウレタン系樹脂インキでレジスト層を形成したセンサシートを準備した。以下、各実験例について個別に説明する。
【００７０】
＜実験例１＞  センサシートの表面に厚み５０μｍの両面テープを貼付して、外装部材の裏面にセンサシートを貼り付け、試料１となる外装品を得た。この外装品は従来からの製造方法による従来例の外装品である。取付板は有していない。
【００７１】
＜実験例２＞  センサシートの表面に第１弾性部材として厚み１００μｍのシリコーンゴム層（上部弾性部材Ａ）を一体成形した。この第１弾性部材を備えたセンサシートを両面テープで取付板に固定してから、取付板を外装部材の裏面に係合させ、センサシートを外装部材の裏面に圧接した。こうして試料２となる外装品を得た。
【００７２】
＜実験例３〜６＞  第１弾性部材の厚みを変更した以外は、実験例２と同じ方法で試料３〜試料６となる各外装品を得た。
【００７３】
＜実験例７＞  センサシートには第１弾性部材を設けず、センサシートの表面が外装部材の裏面に直接接するようにした以外は実験例２と同様とした。こうして試料７となる外装品を得た。
【００７４】
＜実験例８＞  第１弾性部材としてスポンジシート（第１弾性部材Ｂ）を準備し、厚み５０μｍの両面テープでセンサシートの表面に前記スポンジシートを貼り付けた。それ以外は、実験例２と同じ方法で試料８となる外装品を得た。
【００７５】
こうして得られた実験例１〜実験例８の各外装品について、リペア性およびセンサ感度を評価した。これらの各構成および評価を表１に示した。
【００７６】
【表１】
2019091466.tif 000003
【００７７】
リペア性：  外装部材から取付板を取り外し易いか否かについてリペア性として評価した。リペア性は、外装部材から取付板を取り外す際の取り外しやすさを感覚に基づいて、「取り外し易い」を“○”、「取り外し難い」を “×”の両者に単純に分けることで評価した。
【００７８】
センサ感度：  前記各実験例の外装品について、端子をＰＳｏＣ  ＩＣ（サイプレス社製マイコン  ＣＹ８Ｃ２４８９４）に接続して感度(Diff)を測定した。ＰＳｏＣ  ＩＣのパラメータ設定は、Ｒｅｓｏｌｕｔｉｏｎ（分解能）を１３ｂｉｔ（８１９２）、Ｒｅｆ  Ｖａｌｕｅを４、Ｒｂ抵抗を３．３ＫΩとした。感度(Diff)は、直径６ｍｍの円柱形状の導電ゴムからなる測定子（押し子；指の代わり）をセンサ電極の中央に押し当てて、その押し当てる前後の静電容量の変化量を測定し求めた。また、感度（％）は、実験例１の「感度(Diff)」を１００としたときの相対値を示した。
【００７９】
性質評価：  リペア性については、実験例１の外装品は外装部材からセンサシートを取り外すことが困難であったが、実験例２〜８の外装品については、外装部材とセンサシートとを容易に分離できた。
【００８０】
センサ感度については、まず、取付板を用いた実験例２〜実験例８の全ての試料で対象とする従来例の実験例１よりも低下していた。センサ感度は、外装部材の表面からセンサシートまでの距離や外装部材とセンサシート間の材質に依存するが、実験例１では、実験例２〜６、８と比較して、第１弾性部材よりも薄い５０μｍの両面テープを用いていることから、センサシートまでの距離が近いことが影響したものと思われる。また、実験例７では、その距離は近いものの、外装部材とセンサシートの密着性悪化による空気層の存在が影響したものと思われる。
【００８１】
次に、取付板を用いた実験例２〜実験例８の各試料を比較してみると、第１弾性部材を用いない実験例７で感度（％）が９１．６％であったのに対して、実験例３では９２．１％、実験例２では９８％であり、第１弾性部材の厚みが２５０μｍ以下であれば、弾性部材を設けない場合よりも感度を高めることができることがわかった。また、実験例２〜実験例６を比較すると、第１弾性部材の厚みは薄いほどセンサの感度が良いことがわかった。
【００８２】
第１弾性部材にスポンジシートを用いた実験例８は、同じ厚みのシリコーンゴム製の第１弾性部材を備えた実験例４より感度が低かった。スポンジシートは、内包する空気の影響で誘電率が低いため、感度の低下が大きかったものと思われる。したがって、第１弾性部材は誘電率の高い材質であることが好ましいことがわかった。
【００８３】
なお、誤動作の抑制や動作の安定性の観点から、感度は高いほど好ましいが、従来の構成に対して感度が概ね５０％以上であればよく、７５％以上であることがより好ましい。感度が５０％よりも悪くなるとノイズの影響を受けやすく、誤動作が懸念されるためである。実験例より弾性部材の厚みは７００μｍ以下であることが好ましいことがわかった。
【符号の説明】
【００８４】
１１、２１、３１、３１ａ  外装品（センサシート含有電子機器用筐体）
１２      外装部材（筐体）
１２ａ    表示部
１２ｂ    センサ領域
１２ｃ    嵌合凸部
１２ｄ    前面板
１２ｅ    裏面
１２ｆ    表面
１３      センサシート
１３ａ    センサ電極
１３ｂ    配線
１３ｃ    端子部
１４      取付板
１４ａ    嵌合受け部（着脱手段）
１６      粘着層（センサシート固定手段）
２７      第１弾性部材
３８      第２弾性部材
３８ｂ    板バネ
【図１】
2019091466.tif 000004
【図２】
2019091466.tif 000005
【図３】
2019091466.tif 000006
【図４】
2019091466.tif 000007
【図５】
2019091466.tif 000008
【図６】
2019091466.tif 000009
【図７】
2019091466.tif 000010